(57)【要約】【課題】通信機の利便性の向上すること。【解決手段】１つの態様において、通信機は、前面ケースと背面ケースとを接合して形成される直方体状の筐体と、通話中の送話音声を送信するために予め所定の操作が要求される無線機用サービスを提供する第１通話機能による通話中の送話音声、及び通話中の送話音声を送信するために所定の操作が要求されない電話機用サービスを提供する第２通話機能による通話中の送話音声を集音する第１マイクと、第２通話機能による通話中の送話音声を集音する第２マイクと、第２通話機能による通話中の受話音声を出力するレシーバと、第１通話機能による通話中の受話音声、及び第２通話機能による通話中の受話音声を出力するスピーカと、通話中のノイズキャンリング処理に用いる音を集音する第３マイクと、通話に関する処理を実行するプロセッサとを備える。【選択図】図１０
2018201141.tif 000002
【特許請求の範囲】
【請求項１】
前面ケースと背面ケースとを接合して形成される直方体状の筐体と、
通話中の送話音声を送信するために予め所定の操作が要求される無線機用サービスを提供する第１通話機能による通話中の送話音声、及び通話中の送話音声を送信するために前記所定の操作が要求されない電話機用サービスを提供する第２通話機能による通話中の送話音声を集音する第１マイクと、
前記第２通話機能による通話中の送話音声を集音する第２マイクと、
前記第２通話機能による通話中の受話音声を出力するレシーバと、
前記第１通話機能による通話中の受話音声、及び前記第２通話機能による通話中の受話音声を出力するスピーカと、
通話中のノイズキャンリング処理に用いる音を集音する第３マイクと、
通話に関する処理を実行するプロセッサと
を備え、
前記第１マイクの送話口と前記スピーカに通じる開口部であるスピーカ孔との間の距離が、前記第２マイクの送話口と前記スピーカ孔との間の距離よりも長くなるように、前記第１マイクと、前記第２マイクと、前記スピーカとの間の位置関係を調整し、前記第１マイク、前記第２マイク及び前記スピーカを前記前面ケースに設けるとともに、前記第３マイクを前記背面ケースに設け、
前記プロセッサは、
前記第２通話機能による通話中の受話音声の出力に前記レシーバを使用する通話を実行する場合、前記第２マイクを用いて前記送話音声を集音して、前記第３マイクの入力に基づいて前記レシーバから出力する前記受話音声のノイズキャンセリング処理を実行し、
前記第２通話機能による通話中の受話音声の出力に前記スピーカを使用する通話を実行する場合、前記第１マイクを用いて前記送話音声を集音して、前記第３マイクの入力に基づいて前記スピーカから出力する前記受話音声のノイズキャンセリング処理を実行し、
前記第１通話機能による通話を実行する場合、前記第１マイク及び前記第２マイクのいずれか一方を用いて前記送話音声を集音し、前記第３マイクの入力に基づいて前記スピーカから出力する前記受話音声のノイズキャンセリング処理を実行する通信機。
【請求項２】
前記スピーカが有する振動板は、少なくとも１８ミリメートル以上の実効振動半径を有する請求項１に記載の通信機。
【請求項３】
前記筐体に、表示部をさらに備える請求項１又は２に記載の通信機。
【請求項４】
前記筐体に、前記第１通話機能を用いた通話処理において通話中の音声を送信させるための送信キーをさらに備え、
前記プロセッサは、
前記送信キーに対する操作が継続中であることを条件として、前記操作の継続中に入力される音声を複数の相手に同時に送信する請求項１から３のいずれか１つに記載の通信機。
【請求項５】
前記筐体に、緊急報知を実行する緊急報知ボタンをさらに備える請求項１から４のいずれか１つに記載の通信機。
【請求項６】
前記筐体に、アクセサリ取付け部を備える請求項１から５のいずれか１つに記載の通信機。
【請求項７】
無線機用サービスを提供する第１通話機能による通話中の送話音声、及び電話機用サービスを提供する第２通話機能を実行するプロセッサと、
前記第２通話機能による通話中の受話音声を出力するレシーバと、
前記第１通話機能による通話中の受話音声、及び前記第２通話機能による通話中の受話音声を出力するスピーカと、
を備え、
前記プロセッサは、
前記第２通話機能による通話中の受話音声の出力に前記レシーバを使用する通話を実行する場合、第１のノイズキャンセリング処理を実行し、
前記第２通話機能による通話中の受話音声の出力に前記スピーカを使用する通話を実行する場合、第２のノイズキャンセリング処理を実行し、
前記第１通話機能による通話を実行する場合、第３のノイズキャンセリング処理を実行する通信機。
【請求項８】
前面ケースと背面ケースとを接合して形成される直方体状の筐体と、
通話中の送話音声を送信するために予め所定の操作が要求される無線機用サービスを提供する第１通話機能による通話中の送話音声、及び通話中の送話音声を送信するために前記所定の操作が要求されない電話機用サービスを提供する第２通話機能による通話中の送話音声を集音する第１マイクと、
前記第２通話機能による通話中の送話音声を集音する第２マイクと、
前記第２通話機能による通話中の受話音声を出力するレシーバと、
前記第１通話機能による通話中の受話音声、及び前記第２通話機能による通話中の受話音声を出力するスピーカと、
通話中のノイズキャンリング処理に用いる音を集音する第３マイクと
を備え、
前記第１マイクの送話口と前記スピーカに通じる開口部であるスピーカ孔との間の距離が、前記第２マイクの送話口と前記スピーカ孔との間の距離よりも長くなるように、前記第１マイクと、前記第２マイクと、前記スピーカとの間の位置関係を調整し、前記第１マイク、前記第２マイク及び前記スピーカを前記前面ケースに設けるとともに、前記第３マイクを前記背面ケースに設けられる通信機が実行する制御方法であって、
前記第２通話機能による通話中の受話音声の出力に前記レシーバを使用する通話を実行する場合、前記第２マイクを用いて前記送話音声を集音して、前記第３マイクの入力に基づいて前記レシーバから出力する前記受話音声のノイズキャンセリング処理を実行するステップと、
前記第２通話機能による通話中の受話音声の出力に前記スピーカを使用する通話を実行する場合、前記第１マイクを用いて前記送話音声を集音して、前記第３マイクの入力に基づいて前記スピーカから出力する前記受話音声のノイズキャンセリング処理を実行するステップと、
前記第１通話機能による通話を実行する場合、前記第１マイク及び前記第２マイクのいずれか一方を用いて前記送話音声を集音し、前記第３マイクの入力に基づいて前記スピーカから出力する前記受話音声のノイズキャンセリング処理を実行するステップと
を含む制御方法。
【発明の詳細な説明】
【技術分野】
【０００１】
本出願は、通信機及び制御方法に関する。
【背景技術】
【０００２】
従来、通信機がある。通信機は、例えば、電気通信事業者が提供する電話サービス等を利用するための携帯電話及びＰＨＳ（Ｐｅｒｓｏｎａｌ  Ｈａｎｄｙｐｈｏｎｅ  Ｓｙｓｔｅｍ）から、ＶＨＦ（Ｖｅｒｙ  Ｈｉｇｈ  Ｆｒｅｑｕｅｎｃｙ）並びにＩＰ（Ｉｎｔｅｒｎｅｔ  Ｐｒｏｔｏｃｏｌ）を利用した簡易無線機など多岐にわたる。
【先行技術文献】
【特許文献】
【０００３】
【特許文献１】特開２０１３−１８７５５４号公報
【発明の概要】
【発明が解決しようとする課題】
【０００４】
上記通信機において、利便性の向上が望まれる。
【課題を解決するための手段】
【０００５】
１つの態様に係る通信機は、筐体と、第１マイクと、第２マイクと、レシーバと、スピーカと、第３マイクとプロセッサとを備える。筐体は、前面ケースと背面ケースとを接合して形成される。第１マイクは、通話中の送話音声を送信するために予め所定の操作が要求される無線機用サービスを提供する第１通話機能による通話中の送話音声、及び通話中の送話音声を送信するために所定の操作が要求されない電話機用サービスを提供する第２通話機能による通話中の送話音声を集音する。第２マイクは、第２通話機能による通話中の送話音声を集音する。レシーバは、第２通話機能による通話中の受話音声を出力する。スピーカは、第１通話機能による通話中の受話音声、及び第２通話機能による通話中の受話音声を出力する。第３マイクは、通話中のノイズキャンリング処理に用いる音を集音する。プロセッサは、通話に関する処理を実行する。通信機は、第１マイクの送話口とスピーカ孔との間の距離が、第２マイクの送話口とスピーカ孔との間の距離よりも長くなるように、第１マイクと、第２マイクと、スピーカとの間の位置関係を調整して、第１マイク、第２マイク及びスピーカを前面ケースに設けるとともに、第３マイクを背面ケースに設ける。プロセッサは、第２通話機能による通話中の受話音声の出力にレシーバを使用する通話を実行する場合、第２マイクを用いて送話音声を集音して、第３マイクの入力に基づいてレシーバから出力する受話音声のノイズキャンセリング処理を実行する。プロセッサは、第２通話機能による通話中の受話音声の出力に前記スピーカを使用する通話を実行する場合、第１マイクを用いて送話音声を集音して、第３マイクの入力に基づいてスピーカから出力する受話音声のノイズキャンセリング処理を実行する。プロセッサは、第１通話機能による通話を実行する場合、第１マイク及び第２マイクのいずれか一方を用いて送話音声を集音し、第３マイクの入力に基づいてスピーカから出力する受話音声のノイズキャンセリング処理を実行する。
【０００６】
１つの態様に係る通信機は、無線機用サービスを提供する第１通話機能による通話中の送話音声、及び電話機用サービスを提供する第２通話機能を実行するプロセッサと、第２通話機能による通話中の受話音声を出力するレシーバと、第１通話機能による通話中の受話音声、及び第２通話機能による通話中の受話音声を出力するスピーカと、を備える。プロセッサは、第２通話機能による通話中の受話音声の出力にレシーバを使用する通話を実行する場合、第１のノイズキャンセリング処理を実行する。プロセッサは、第２通話機能による通話中の受話音声の出力に前記スピーカを使用する通話を実行する場合、第２のノイズキャンセリング処理を実行する。プロセッサは、第１通話機能による通話を実行する場合、第３のノイズキャンセリング処理を実行する。
【０００７】
１つの態様に係る制御方法は、筐体と、第１マイクと、第２マイクと、レシーバと、スピーカと、第３マイクとを備える通信機が実行する制御方法である。筐体は、前面ケースと背面ケースとを接合して形成される。第１マイクは、通話中の送話音声を送信するために予め所定の操作が要求される無線機用サービスを提供する第１通話機能による通話中の送話音声、及び通話中の送話音声を送信するために所定の操作が要求されない電話機用サービスを提供する第２通話機能による通話中の送話音声を集音する。第２マイクは、第２通話機能による通話中の送話音声を集音する。レシーバは、第２通話機能による通話中の受話音声を出力する。スピーカは、第１通話機能による通話中の受話音声、及び第２通話機能による通話中の受話音声を出力する。通信機は、第１マイクの送話口とスピーカ孔との間の距離が、第２マイクの送話口とスピーカ孔との間の距離よりも長くなるように、第１マイクと、第２マイクと、スピーカとの間の位置関係を調整して、第１マイク、第２マイク及びスピーカが前面ケースに設けるとともに、第３マイクを背面ケースに設ける。当該制御方法は、第２通話機能による通話中の受話音声の出力にレシーバを使用する通話を実行する場合、第２マイクを用いて送話音声を集音して、第３マイクの入力に基づいてレシーバから出力する受話音声のノイズキャンセリング処理を実行するステップと、第２通話機能による通話中の受話音声の出力に前記スピーカを使用する通話を実行する場合、第１マイクを用いて送話音声を集音して、第３マイクの入力に基づいてスピーカから出力する受話音声のノイズキャンセリング処理を実行するステップと、第１通話機能による通話を実行する場合、第１マイク及び第２マイクのいずれか一方を用いて送話音声を集音し、第３マイクの入力に基づいてスピーカから出力する受話音声のノイズキャンセリング処理を実行するステップとを含む。
【図面の簡単な説明】
【０００８】
【図１】図１は、実施形態に係る通信機の外観を示す斜視図である。
【図２】図２は、実施形態に係る通信機の外観を示す６面図である。
【図３】図３は、実施形態に係るスピーカ取付前の前面ケースの内壁面側を示す正面図である。
【図４】図４は、実施形態に係る前面ケースの内壁面側を示す斜視図である。
【図５】図５は、実施形態に係るスピーカ周辺の組立を外壁面側から示す組立図である。
【図６】図６は、実施形態に係るスピーカ取付後の前面ケースの内壁面側を示す正面図である。
【図７】図７は、実施形態に係る前面ケースの内壁面側を示す斜視図を部分的に拡大した図である。
【図８】図８は、実施形態に係る図２のＩ−Ｉ線における断面を拡大して示す図である。
【図９】図９は、実施形態に係る図２のＩＩ−ＩＩ線における断面を拡大して示す図である。
【図１０】図１０は、実施形態に係る通信機の機能構成の一例を示す図である。
【図１１】図１１は、実施形態に係る通信機による処理の流れを示すフローチャートである。
【図１２】図１２は、実施形態に係る通信機による処理の流れを示すフローチャートである。
【発明を実施するための形態】
【０００９】
本出願に係る実施形態を、図面を参照しつつ詳細に説明する。以下の説明において、同様の構成要素について同一の符号を付すことがある。さらに、重複する説明は省略することがある。
【００１０】
図１及び図２を用いて、実施形態に係る通信機の外観を説明する。図１は、実施形態に係る通信機の外観を示す斜視図である。図２は、実施形態に係る通信機の外観を示す６面図である。図２に示す６面図は、通信機１の平面図Ｖ１、通信機１の左側面図Ｖ２、通信機１の正面図Ｖ３、通信機１の右側面図Ｖ４、通信機１の背面図Ｖ５、通信機１の底面図Ｖ６で構成される。
【００１１】
図１及び図２に示すように、実施形態に係る通信機１は、前面ケース１００と背面ケース２００とを接合した直方体状の筐体３００を有する。前面ケース１００は前面ケースの一例であり、背面ケース２００は背面ケースの一例であり、筐体３００は筐体の一例である。
【００１２】
通信機１は、正面図Ｖ３に示すように、マイク２Ａと、レシーバ７と、キーパッド３と、ディスプレイ４と、近接センサ５と、ＬＥＤ（Ｌｉｇｈｔ−Ｅｍｉｔｔｉｎｇ  Ｄｉｏｄｅ）２１とを有する。キーパッド３及びディスプレイ４は、筐体３００の長手方向（図１に示すｙ軸方向）に沿って隣り合うように前面ケース１００に配設されている。マイク２Ａ、レシーバ７、近接センサと、ＬＥＤ２１は、ディスプレイ４の上部側（図１に示すｙ軸のプラス方向側）に配設されている。マイク２Ａは、通話中の音声又は音声認識処理用の音声などを集音する。
【００１３】
また、正面部Ｖ３に示すように、前面ケース１００には、マイク２Ａ及びレシーバ７の開口部１１０、並びにスピーカ１１に通じる開口部であるスピーカ孔１２０が設けられる。正面図Ｖ３に示す前面ケース１００の面は、通信機１を利用するユーザと対面する、あるいはユーザに接する面であり、以下の説明おいて「外壁面」と記載する。反対に、正面図Ｖ３に現れていない前面ケース１００の「外壁面」の裏面を、以下の説明において「内壁面」と記載する。
【００１４】
通信機１は、左側面図Ｖ２に示すように、筐体３００に、無線機用サービスによる通話中の音声を送信するために操作する送信キー２２と、通話中の音声等を調整する音量調節キー２３とを備える。また、左側面図Ｖ２に示すように、筐体３００には、通信機１の内部に収容されるスピーカ１１に通じる貫通孔の開口部１３０ａが設けられている。送信キー２２は、送信キーの一例である。
【００１５】
通信機１は、右側面図Ｖ４に示すように、筐体３００に緊急報知キー２４を有する。また、右側面図Ｖ４に示すように、筐体３００には、通信機１の内部に収容されるスピーカ１１に通じる貫通孔の開口部１３０ｂが設けられている。
【００１６】
通信機１は、平面図Ｖ１に示すように、筐体３００にアクセサリ取付け部２１０を有する。アクセサリ取付け部２１０は、通信機１にあわせて製造された各種アクセサリが取り付けられる。
【００１７】
通信機１は、底面図Ｖ６に示すように、マイク２Ｂを有する。マイク２Ｂは、通話中の音声、又は音声認識処理用の音声などを集音する。
【００１８】
通信機１は、背面図Ｖ５に示すように、マイク２Ｃと、カメラ１２と、フラッシュ２５とを有する。マイク２Ｃは、例えば、通話中の周囲の雑音を低減するノイズキャンセリング処理に用いられる。
【００１９】
正面部Ｖ３及び底面図Ｖ６に示すように、マイク２Ａ（の送話口）とスピーカ孔１２０との間の距離が、マイク２Ｂ（の送話口）とスピーカ孔１２０との間の距離よりも長くなるように、マイク２Ａと、マイク２Ｂと、スピーカ１１との間の位置関係を調整して、マイク２Ａと、マイク２Ｂと、スピーカ１１が前面ケース１００に設けられる。背面図Ｖ５に示すように、マイク２Ｃは、マイク２Ａ及びマイク２Ｂから離れた背面ケース２００に設けられる。
【００２０】
図３は、実施形態に係るスピーカ取付前の前面ケースの内壁面側を示す正面図である。図４は、実施形態に係る前面ケースの内壁面側を示す斜視図である。図５は、実施形態に係るスピーカ周辺の組立を外壁面側から示す組立図である。図６は、実施形態に係るスピーカ取付後の前面ケースの内壁面側を示す正面図である。
【００２１】
図３に示すように、前面ケース１００は、内壁面側に、スピーカ１１を格納するためのスピーカ格納部１４０を備える。また、図４に示すように、スピーカ格納部１４０は、スピーカ１１が当接する当接面１４０ａ、及びスピーカ１１と前面ケース１００の内壁面との間隔を決める段差１４０ｂを備えている。スピーカ格納部１４０は、円形状に加工されている。
【００２２】
図５に示すように、スピーカ１１は、前面ケース１００とキーパッド３との当接面に対向するように、内壁面側に音を放出させる向き（図４に示すｚ軸のマイナス方向）で、スピーカ格納部１４０に取り付けられ、固定パネル１５０により固定される。スピーカ１１は、例えば、振動板の形状が円錐状又はドーム状で丸型タイプであり、振動板が少なくとも１８ミリメートル以上の実効振動半径φを有する。図６に示すように、スピーカ格納部１４０の露出面全体は、スピーカ１１が取り付けられることによって覆い隠された状態となる。
【００２３】
図７は、実施形態に係る前面ケースの内壁面側を示す斜視図を部分的に拡大した図である。図７に示すように、スピーカ格納部１４０は、スピーカ１１がスピーカ格納部１４０に取り付けられることによって、スピーカ１１と前面ケース１００の内壁面との間に形成される気室（図８及び図９参照）から、筐体３００の外部に連通する貫通孔１３１ａ，１３１ｂを有する。貫通孔１３１ａ，１３１ｂは、スピーカ１１の中心を挟んでスピーカ孔１２０とは反対側にあり、互いに対称な位置（スピーカ１１の中心を通り、かつｙ軸に平行な直線に対して線対称な位置）に設けられている。
【００２４】
図８は、実施形態に係る図２のＩ−Ｉ線における断面を拡大して示す図である。図９は、実施形態に係る図２のＩＩ−ＩＩ線における断面を拡大して示す図である。
【００２５】
図８に示すように、スピーカ１１がスピーカ格納部１４０に取り付けられることによって、スピーカ１１と前面ケース１００の内壁面との間に気室５００が形成される。貫通孔１３１ａ，１３１ｂは、筐体３００の外部から気室５００に通じている。また、図９に示すように、前面ケース１００に設けられているスピーカ孔１２０も、貫通孔１３１ａ，１３１ｂと同様に、筐体３００の外部から気室５００に通じている。
【００２６】
筐体などに収容される内蔵型のスピーカは、振動板が不均一に振動するローリング現象の発生により、音ずれ及び異音などを生じさせる恐れがある。ローリング現象の発生を防止するには、振動板をできるだけ均一に振動させる必要がある。振動板をできるだけ均一に振動させるには、スピーカの振動板の真上、かつ中心付近にスピーカ孔を設けるのがよい。しかしながら、通信機１のように、キーパッド３、ディスプレイ４、実効振動半径φが１８ミリメートル以上のスピーカ１１が搭載される場合、筐体設計上の制約並びにデザイン性の都合上、スピーカ１１の真上にスピーカ孔１２０を設けることは難しい。このため、例えば、通信機１は、図２に示すように、キーパッド３の下側（図１に示すｙ軸のマイナス方向側）にスピーカ孔１２０を設けている。図２に示すスピーカ孔１２０の位置は、スピーカ１１の振動板の真上ではないので、このままでは振動板の振動が不均一になってしまうおそれがある。そこで、通信機１は、スピーカ格納部１４０に貫通孔１３１ａ，１３１ｂを設けて、気室５００からの空気の抜け孔としてスピーカ孔１２０以外の別の抜け孔を確保する。これにより、通信機１は、気室５００からの空気の抜け孔がスピーカ孔１２０だけである場合と比較して、スピーカ１１の振動板をより均一に振動させることができる。また、スピーカ格納部１４０に貫通孔１３１ａ，１３１ｂを設けることにより、スピーカ孔１２０から外部へ出力される音が、貫通孔１３１ａ，１３１ｂからも少なからず出力されるので、確実に音を外部に出力させる効果も期待される。
【００２７】
図８及び図９に示す例では、通信機１が、互いに対称な位置（スピーカ１１の中心を通り、かつｙ軸に平行な直線に対して線対称な位置）に、気室５００から筐体３００の外部に通じている２つの貫通孔１３１ａ，１３１ｂを備えているが、この例に限定されるものではない。例えば、通信機１は、スピーカ１１の中心を挟んで、スピーカ孔１２０とは正反対の位置に１つの貫通孔を備えてもよい。
【００２８】
図１０は、実施形態に係る通信機の機能構成の一例を示す図である。図１０に示すように、通信機１は、マイク２Ａと、マイク２Ｂと、マイク２Ｃと、キーパッド３と、ディスプレイ４と、近接センサ５と、通信ユニット６と、レシーバ７と、ストレージ９と、プロセッサ１０と、スピーカ１１と、カメラ１２と、コネクタ１３と、ＬＥＤ２１と、送信キー２２と、音量調整キー２３と、緊急報知キー２４と、フラッシュ２５とを有する。
【００２９】
マイク２Ａは、通話中の送話音声を送信するために予め所定の操作が要求される無線機用サービスを提供する第１通話機能を用いた通話の送話音声を集音する。マイク２Ａは、通話中の送話音声を送信するために所定の操作が要求されない電話機用サービスを提供する第２通話機能を用いた通話中の送話音声も集音する。マイク２Ａは、例えば、プッシュ・トゥ・トーク（Ｐｕｓｈ−ｔｏ−Ｔａｌｋ、以下、「ＰＴＴ」と適宜記載する）の送話音声、並びにスピーカ通話の送話音声を集音できる。マイク２Ａは、第１マイクの一例である。
【００３０】
無線機用サービスは、ＰＴＴ及びＰＯＣ（Ｐｕｓｈ−ｔｏ−ｔａｌｋ  Ｏｖｅｒ  Ｃｅｌｌｕｌａｒ）などのＶｏＩＰ（Ｖｏｉｃｅ  ｏｖｅｒ  Ｉｎｔｅｒｎｅｔ  Ｐｒｏｔｏｃｏｌ）を利用したサービスの他、ＦＲＳ（Ｆａｍｉｌｙ  Ｒａｄｉｏ  Ｓｅｒｖｉｃｅ）、ＧＭＲＳ（Ｇｅｎｅｒａｌ  Ｍｏｂｉｌｅ  Ｒａｄｉｏ  Ｓｅｒｖｉｃｅ）を含む。電話機用サービスは、電気通信事業者が提供する携帯電話用の電話サービスを含む。
【００３１】
マイク２Ｂは、電話機用サービスを利用して実行される通話中の送話音声、又は音声認識処理用の音声など、筐体３００の内部（気室５００）に伝搬する音声を集音する。マイク２Ｂは、第２マイクの一例である。
【００３２】
マイク２Ｃは、通話中の周囲の雑音を低減するノイズキャンセリング処理に用いられる音を集音する。マイク２Ｃは、第３マイクの一例である。
【００３３】
キーパッド３は、ユーザからの操作入力を受け付ける複数のキーを備える。キーパッド３は、ユーザからの操作入力を受け付けると、プロセッサ１０に操作入力を受け付けた旨を通知する。キーパッド３が備えるキーの数は、任意の数であってよい。キーパッド３は、テンキー、ＱＷＥＲＴＹキーを含んでよい。
【００３４】
ディスプレイ４は、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを含む。ディスプレイ４は、文字、画像、記号、及び図形等のオブジェクトを画面内に表示する。ディスプレイ４が表示するオブジェクトを含む画面は、ロック画面と呼ばれる画面、ホーム画面と呼ばれる画面、アプリケーションの実行中に表示されるアプリケーション画面を含む。ホーム画面は、デスクトップ、待受画面、アイドル画面、標準画面、アプリ一覧画面又はランチャー画面と呼ばれることもある。ディスプレイ４は表示部の一例である。
【００３５】
近接センサ５は、近隣の物体の存在を非接触で検出できる。近接センサ５は、磁界の変化又は超音波の反射波の帰還時間の変化等に基づいて物体の存在を検出する。近接センサ５は、例えば、ディスプレイ４にユーザの顔が接近したことを検出するのに用いてもよい。近接センサ５は、照度センサを近接センサとして用いてもよい。
【００３６】
通信ユニット６は、無線により通信できる。通信ユニット６は、無線通信規格をサポートする。通信ユニット６によってサポートされる無線通信規格には、例えば、２Ｇ、３Ｇ、４Ｇ、５Ｇ等のセルラーフォンの通信規格と、近距離無線の通信規格とが含まれる。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（登録商標）（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＩＥＥＥ８０２．１１（ＩＥＥＥは、Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，  Ｉｎｃ．の略称である）、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等が含まれる。ＷＰＡＮの通信規格には、例えば、ＺｉｇＢｅｅ（登録商標）、ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）、Ｚ−Ｗａｖｅ、ＷｉＳｕｎ（Ｗｉｒｅｌｅｓｓ  Ｓｍａｒｔ  Ｕｔｉｌｉｔｙ  Ｎｅｔｗｏｒｋ）が含まれる。通信ユニット６は、上述した通信規格の１つ又は複数をサポートしていてもよい。
【００３７】
レシーバ７は、プロセッサ１０から送信される音信号を音として出力できる。レシーバ７は、例えば、通信機１にて再生される動画の音、音楽の音、及び通話時の相手の声を出力できる。
【００３８】
ストレージ９は、プログラム及びデータを記憶できる。ストレージ９は、プロセッサ１０の処理結果を一時的に記憶する作業領域として利用してもよい。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００３９】
ストレージ９に記憶されるプログラムには、フォアグランド又はバックグランドで実行されるアプリケーションと、アプリケーションの動作を支援する基本プログラムとが含まれる。アプリケーションの画面は、例えば、フォアグランドで実行される場合に、ディスプレイ４に表示される。基本プログラムには、例えば、ＯＳ（Ｏｐｅｒａｔｉｎｇ  ｓｙｓｔｅｍ）が含まれる。アプリケーション及び基本プログラムは、通信ユニット６による無線通信又は非一過的な記憶媒体を介してストレージ９にインストールされてもよい。
【００４０】
ストレージ９は、制御プログラム９Ａ、電話アプリケーション９Ｂ、無線機用アプリケーション９Ｃ、及び設定データ９Ｚなどを記憶できる。
【００４１】
制御プログラム９Ａは、通信機１の各種動作に関する処理を実現するための機能をそれぞれ提供できる。制御プログラム９Ａが提供する機能は、近接センサ５の検出結果に基づいて、ディスプレイ２Ａの輝度を変更する機能を含む。制御プログラム９Ａが提供する機能は、マイク２Ａ，２Ｂ，２Ｃ、通信ユニット６、レシーバ７、及びスピーカ１１などを制御することによって通話を実現させる機能、及び通話中の受話音声からノイズを除去するノイズキャンセリング処理を実行するための機能を含む。制御プログラム９Ａが提供する機能は、カメラ１２の撮影処理を制御する機能を含む。制御プログラム９Ａが提供する機能は、コネクタ１３を介して接続される外部機器との間の通信を制御する機能を含む。
【００４２】
制御プログラム９Ａが提供する機能は、電話アプリケーション９Ｂと連携して、電話機用サービスを利用した通話を実現するための機能を含む。電話機用サービスを利用した通話は、マイク２Ｂによる送話音声の集音及びレシーバ７による受話音声の発音が行われる通話（以下、通常通話と記載する）、並びにマイク２Ｂによる送話音声の集音及びスピーカ１１による受話音声の発音が行われるハンズフリー通話などを含む。以下において、ハンズフリー通話と記載するものは、スピーカ１１による受話音声の発音が行われる通話に該当し、専用のヘッドセット等を用いて実行される通話を含まないものとする。
【００４３】
制御プログラム９Ａが提供する機能は、無線機用アプリケーション９Ｃと連携して、無線機用サービスを利用した通話を実現するための機能を含む。
【００４４】
制御プログラム９Ａが提供する機能は、レシーバ７を利用した通常通話の際、マイク２Ｂを用いて送話音声を集音し、マイク２Ｃの入力に基づいてレシーバ７から出力する受話音声のノイズキャンセリング処理を実行するための機能を含む。制御プログラム９Ａが提供する機能は、スピーカ１１を利用したハンズフリー通話の際、マイク２Ａを用いて送話音声を集音し、マイク２Ｃの入力に基づいてスピーカ１１から出力する受話音声のノイズキャンセリング処理を実行するための機能を含む。制御プログラム９Ａが提供する機能は、ＰＴＴの際、マイク２Ａ及びマイク２Ｂのいずか一方を用いて送話音声を集音し、マイク２Ｃの入力に基づいてスピーカ１１から出力する受話音声のノイズキャンセリング処理を実行するための機能を含む。
【００４５】
電話アプリケーション９Ｂは、無線通信による通話を実現するための通話機能を提供できる。無線機用アプリケーション９Ｃは、ＰＴＴなどのＶｏＩＰを利用した通話を実現するための通話機能を提供できる。
【００４６】
設定データ９Ｚは、通信機１における処理に用いられる各種データを含んで構成される。
【００４７】
プロセッサ１０は、通信機１の動作を統括的に制御して各種の機能を実現できる。プロセッサ１０は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含んでもよいが、これらに限定されない。ＳｏＣは、通信ユニット６等の他の構成要素が統合されていてもよい。プロセッサ１０は、プロセッサの一例である。
【００４８】
具体的には、プロセッサ１０は、ストレージ９に記憶されているデータを必要に応じて参照しつつ、ストレージ９に記憶されているプログラムに含まれる命令を実行する。プロセッサ１０は、データ及び命令に応じて機能部を制御し、それによって各種機能を実現する。機能部は、例えば、マイク２Ａ，２Ｂ，２Ｃ、ディスプレイ４、通信ユニット６、及びスピーカ１１の少なくとも１つを含むが、これらに限定されない。プロセッサ１０は、検出部の検出結果に応じて、制御を変更することがある。検出部は、例えば、マイク２Ａ，２Ｂ，２Ｃ、キーパッド３、近接センサ５、及びカメラ１２の少なくとも１つを含むが、これらに限定されない。
【００４９】
プロセッサ１０は、制御プログラム９Ａを実行することにより、電話アプリケーション９Ｂと連携して、電話機用サービスを利用した通話を実現する。プロセッサ１０は、制御プログラム９Ａを実行することにより、無線機用アプリケーション９Ｃと連携して、無線機用サービスを利用した通話を実現する。
【００５０】
プロセッサ１０は、制御プログラム９Ａを実行することにより、レシーバ７を利用した通常通話の際、マイク２Ｂを用いて送話音声を集音し、マイク２Ｃの入力に基づいてレシーバ７から出力する受話音声のノイズキャンセリング処理を実現する。プロセッサ１０は、制御プログラム９Ａを実行することにより、スピーカ１１を利用したハンズフリー通話の際、マイク２Ａを用いて送話音声を集音し、マイク２Ｃの入力に基づいてスピーカ１１から出力する受話音声信号のノイズキャンセリング処理を実現する。プロセッサ１０は、制御プログラム９Ａを実行することにより、ＰＴＴの際、マイク２Ａ及びマイク２Ｂのいずか一方を用いて送話音声を集音し、マイク２Ｃの入力に基づいてスピーカ１１から出力する受話音声信号のノイズキャンセリング処理を実行するための機能を含む。
【００５１】
スピーカ１１は、プロセッサ１０から送信される音信号を音として出力できる。スピーカ１１は、例えば、着信音、音楽、及びスピーカ通話時の受話音声などを出力してもよい。
【００５２】
カメラ１２は、撮影した画像を電気信号へ変換できる。カメラ１２は、インカメラ及びアウトカメラを切り換えて利用可能なカメラユニットとして、機能的及び物理的に統合された状態で通信機１に実装されてもよい。
【００５３】
コネクタ１３は、他の装置が接続される端子である。コネクタ１３は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１３は、Ｄｏｃｋコネクタのような専用の端子でもよい。コネクタ１３に接続される装置は、例えば、外部ストレージ、スピーカ、及び通信装置を含むが、これらに限定されない。
【００５４】
ＬＥＤ２１は、プロセッサ１０の制御下で、所定のパターン又は色などで発光する。送信キー２２は、無線機用サービスを利用した通話時に送話音声の送信する操作を受け付ける。音量調節キー２３は、通話中の受話音声など、通信機１から出力する音の音量を調整する操作を受け付ける。緊急報知キー２４は、緊急事態などを周囲に報知するためのブザー音などをスピーカ１１などから出力する操作を受け付ける。フラッシュ２５は、カメラ１２の撮影時に被写体に照射する閃光、及びユーザの手元などを照らす光源などを提供する。
【００５５】
通信機１は、図１０に示す各機能部の他、照度センサ、モーションセンサ、ＧＰＳ受信機、及びバイブレータなどを備えてもよい。
【００５６】
照度センサは、照度を検出する。照度は、照度センサの測定面の単位面積に入射する光束の値である。照度センサは、例えば、ディスプレイ４の輝度の調整に用いることができる。モーションセンサは、通信機１を携帯するユーザの動作を判定するための各種情報を検出できる。モーションセンサは、加速度センサ、方位センサ、ジャイロセンサ、磁気センサ及び気圧センサなどを備えるセンサユニットとして構成されてよい。ＧＰＳ受信機は、ＧＰＳ衛星からの所定の周波数帯の電波信号を受信する。ＧＰＳ受信機は、受信した電波信号の復調処理を行って、処理後の信号をプロセッサ１０に送出する。ＧＰＳ受信機は、通信機１の現在位置の演算処理をサポートする。通信機１は、ＧＰＳ衛星以外の測位用人工衛星の信号を受信可能な受信機を備え、現在位置の演算処理を実行してもよい。バイブレータは、通信機１の一部又は全体を振動させる。バイブレータは、振動を発生させるために、例えば、圧電素子、又は偏心モータなどを有する。なお、通信機１は、バッテリなどのように、通信機１の機能を維持するために当然に用いられる機能部、及び通信機１の制御を実現するために当然に用いられる制御部を実装する。
【００５７】
図１１及び図１２を用いて、実施形態に係る通信機の処理の一例を説明する。図１１及び図１２は、実施形態に係る通信機による処理の流れを示すフローチャートである。図１１及び図１２に示す処理は、プロセッサ１０が制御プログラム９Ａを実行することにより実現される。図１１及び図１２に示す処理は、通話の開始を契機として実行される。図１１及び図１２では、無線機用サービスを利用した通話がＰＴＴである場合について説明する。
【００５８】
図１１に示すように、プロセッサ１０は、ハンズフリー通話、若しくはＰＴＴであるかを判定する（ステップＳ１０１）。
【００５９】
プロセッサ１０は、判定の結果、ハンズフリー通話、若しくはＰＴＴである場合（ステップＳ１０１，Ｙｅｓ）、マイク２Ａから送話音声の入力を実行する（ステップＳ１０２）。送話音声の入力に続いて、プロセッサ１０は、マイク２Ｃの入力に基づいて受話音声信号のノイズキャンセリング処理を実行し（ステップＳ１０３）、スピーカ１１から受話音声の出力を実行する（ステップＳ１０４）。
【００６０】
受話音声の出力に続いて、プロセッサ１０は、通話を終了しているかを判定する（ステップＳ１０５）。
【００６１】
判定の結果、プロセッサ１０は、通話を終了している場合（ステップＳ１０５，Ｙｅｓ）、図１１に示す処理を終了する。
【００６２】
判定の結果、プロセッサ１０は、通話を終了していない場合（ステップＳ１０５，Ｎｏ）、上記ステップＳ１０１の判定に戻る。
【００６３】
上記ステップＳ１０１において、プロセッサ１０は、判定の結果、ハンズフリー通話、若しくはＰＴＴではない場合（ステップＳ１０１，Ｎｏ）、マイク２Ｂから送話音声の入力を実行する（ステップＳ１０６）。送話音声の入力に続いて、プロセッサ１０は、マイク２Ｃの入力に基づいて受話音声信号のノイズキャンセリング処理を実行し（ステップＳ１０７）、レシーバ７から受話音声の出力を実行する（ステップＳ１０８）。受話音声の出力後、プロセッサ１０は、上記ステップＳ１０５の判定に移る。
【００６４】
図１１に示す例では、ハンズフリー通話及びＰＴＴの際の送話音声を集音するマイクが共にマイク２Ａである場合を説明したが、以下では、図１２を用いて、ハンズフリー通話及びＰＴＴの際の送話音声を集音するマイクが互い異なる場合を説明する。
【００６５】
図１２に示すように、プロセッサ１０は、ハンズフリー通話であるかを判定する（ステップＳ２０１）。
【００６６】
プロセッサ１０は、判定の結果、ハンズフリー通話である場合（ステップＳ２０１，Ｙｅｓ）、マイク２Ａから送話音声の入力を実行する（ステップＳ２０２）。送話音声の入力に続いて、プロセッサ１０は、マイク２Ｃの入力に基づいて受話音声信号のノイズキャンセリング処理を実行し（ステップＳ２０３）、スピーカ１１から受話音声の出力を実行する（ステップＳ２０４）。
【００６７】
受話音声の出力に続いて、プロセッサ１０は、通話を終了しているかを判定する（ステップＳ２０５）。
【００６８】
判定の結果、プロセッサ１０は、通話を終了している場合（ステップＳ２０５，Ｙｅｓ）、図１２に示す処理を終了する。
【００６９】
判定の結果、プロセッサ１０は、通話を終了していない場合（ステップＳ２０５，Ｎｏ）、上記ステップＳ２０１の判定に戻る。
【００７０】
上記ステップＳ２０１において、プロセッサ１０は、判定の結果、ハンズフリー通話ではない場合（ステップＳ２０１，Ｎｏ）、ＰＴＴであるかを判定する（ステップＳ２０６）。
【００７１】
プロセッサ１０は、判定の結果、ＰＴＴである場合（ステップＳ２０６，Ｙｅｓ）、マイク２Ｂから送話音声の入力を実行する（ステップＳ２０７）。送話音声の入力に続いて、プロセッサ１０は、マイク２Ｃの入力に基づいて受話音声信号のノイズキャンセリング処理を実行し（ステップＳ２０８）、スピーカ１１から受話音声の出力を実行する（ステップＳ２０９）。受話音声の出力後、プロセッサ１０は、上記ステップＳ２０５の判定に移る。
【００７２】
上記ステップＳ２０６において、プロセッサ１０は、判定の結果、ＰＴＴではない場合（ステップＳ２０６，Ｎｏ）、通常通話であるので、マイク２Ｂから送話音声の入力を実行する（ステップＳ２１０）。送話音声の入力に続いて、プロセッサ１０は、マイク２Ｃの入力に基づいて受話音声信号のノイズキャンセリング処理を実行し（ステップＳ２１１）、レシーバ７から受話音声の出力を実行する（ステップＳ２１２）。受話音声の出力後、プロセッサ１０は、上記ステップＳ２０５の判定に移る。
【００７３】
図１１及び図１２に示す例において、プロセッサ１０は、ハンズフリー通話及びＰＴＴの場合にマイク２Ａを使用し、通常通話の場合にマイク２Ｂを使用する。このように、通信機１は、通話の方法に応じて、送話音声を集音するマイクを使い分けることができる。また、図１１及び図１２に示す例において、プロセッサ１０は、ハンズフリー通話、ＰＴＴ、及び通常通話のいずれの通話の場合にも、マイク２Ｃの入力に基づいて、受話音声信号のノイズキャンセリング処理を実行する。このため、通信機１は、通話の方法によらず、受話音声のノイズを低減できる。
【００７４】
従来、ハンズフリー通話の際、スピーカの出力音量を大きくし、マイクの感度を高くすることを原因として、スピーカから出力される音がマイクに集音されてしまう結果、エコーが発生し、通話の妨げとなっている。そこで、ダブルマイクを備えた携帯電話などの従来の機器において、ハンズフリー通話時のエコー防止の観点から、例えば、スピーカの音放出面とは逆側の面に設けられているノイズキャンセリング処理用のマイクを用いて、ハンズフリー通話時の送話音声の集音を行っている。このため、従来は、ハンズフリー通話時のノイズキャンセルリング処理用を犠牲にせざるを得なかった。
【００７５】
これに対して、実施形態に係る通信機１によれば、ハンズフリー通話の場合、マイク２Ａにより送話音声を集音するとともに、マイク２Ｃによりノイズキャンキャンセリング処理に用いる音の集音を実行する。さらに、通信機１は、マイク２Ａとスピーカ孔１２０との間の距離が、マイク２Ｂとスピーカ孔１２０との間の距離よりも長くなるように、マイク２Ａと、マイク２Ｂと、スピーカ１１との間の位置関係を調整して、マイク２Ａ、マイク２Ｂ、及びスピーカ１１を前面ケース１００に設けている（図２参照）。通信機１は、マイク２Ｂよりも、スピーカ１１から離れているマイク２Ａを用いて、ハンズフリー通話時の送話音声を集音することにより、ハンズフリー通話時のエコーをできるだけ低減できる。さらに、通信機１は、ハンズフリー通話の際、マイク２Ｃをノイズキャンセリング処理用の音を集音するマイクとして引き続いて使用することができるので、ハンズフリー通話時におけるノイズキャンセリング処理を犠牲にする必要がなく、ハンズフリー通話時のノイズキャンセリング処理を実現できる。このように、実施形態に係る通信機１は、利便性を向上できる。
【００７６】
また、通信機１は、ハンズフリー通話の際、筐体３００の外壁面側に設けられたマイク２Ａを使用して、通話時の送話音声を集音するので、マイク２Ｂを用いて集音するよりも、集音性能が向上する傾向がある。
【００７７】
なお、図１１に示すように、通信機１は、ＰＴＴの際、送信キー２２を操作しながら、筐体３００に向かって発話された送話音声を、マイク２Ａにより集音することができる。これにより、例えば、所定のキー操作に行って音声送信を行う無線機に類似した利用形態を利用者に提供できる。一方で、図１２に示すように、通信機１は、ＰＴＴの際、送信キー２２を操作しながら、筐体３００に向かって発話された送話音声を、マイク２Ｂにより集音することもできる。これにより、音声入力の際に、マイク２Ｂに向かって発音する傾向の強い利用者の利用態様に対処しやすい。
【００７８】
添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【００７９】
１  通信機
２Ａ  マイク
２Ｂ  マイク
２Ｃ  マイク
３  キーパッド
４  ディスプレイ
５  近接センサ
６  通信ユニット
７  レシーバ
９  ストレージ
９Ａ  制御プログラム
９Ｂ  電話アプリケーション
９Ｃ  無線機用アプリケーション
９Ｚ  設定データ
１０  プロセッサ
１１  スピーカ
１２  カメラ
１３  コネクタ
２１  ＬＥＤ
２２  送信キー
２３  音量調節キー
２４  緊急報知キー
２５  フラッシュ
【図１】
2018201141.tif 000003
【図２】
2018201141.tif 000004
【図３】
2018201141.tif 000005
【図４】
2018201141.tif 000006
【図５】
2018201141.tif 000007
【図６】
2018201141.tif 000008
【図７】
2018201141.tif 000009
【図８】
2018201141.tif 000010
【図９】
2018201141.tif 000011
【図１０】
2018201141.tif 000012
【図１１】
2018201141.tif 000013
【図１２】
2018201141.tif 000014